(57)【要約】【課題】高輝度化を実現することが可能な発光装置、表示装置及び基板を提供する。【解決手段】テレビジョン受像機等の表示装置１に発光装置２を組み込む。発光装置２は、光を発する光源２２と、光源２２からの光を受光部２４０にて受光する導光板２４と、光源２２に接続される配線パターンが形成された基板２３とを備える。基板２３は、光源２２及び受光部２４０の間を覆うように屈曲して配設されている。導光板２４は、受光した光を、例えば、液晶パネル２０へ向けて出射し、液晶パネル２０は、照射された光を画素毎に透過又は遮断することにより、映像を表示する。【選択図】図５
2019139888.tif 000002
【特許請求の範囲】
【請求項１】
光を発する光源と、前記光源からの光を受光部にて受光する導光板と、前記光源に接続される配線パターンが形成された基板とを備え、前記導光板は受光した光を出射する発光装置であって、
前記基板は、
前記光源及び前記受光部の間を覆うように屈曲して配設されている
ことを特徴とする発光装置。
【請求項２】
光を発する光源と、前記光源からの光を受光部にて受光し、受光した光を第１面及び第１面と対向する第２面の間で導く導光板と、前記光源に接続される配線パターンが形成された基板とを備える発光装置であって、
前記基板は、
前記光源の前記導光板と反対側に配設されており、
前記導光板の第１面側に第１端側が屈曲し、
前記導光板の第２面側に第２端側が屈曲し、
屈曲した前記第１端側及び前記第２端側にて、前記光源から前記受光部までの光路を覆う
ことを特徴とする発光装置。
【請求項３】
請求項２に記載の発光装置であって、
前記導光板の受光部は、前記導光板の端部に位置しており、
前記導光板の第１面は、受光した光を出射する出射面であり、
前記導光板の第２面側には、受光した光を反射する反射部材が配設されており、
前記基板の第１端側は、前記導光板の第１面の受光部近傍に重畳しており、
前記基板の第２端側は、前記反射部材に重畳している
ことを特徴とする発光装置。
【請求項４】
請求項１から請求項３までのいずれか１項に記載の発光装置であって、
前記基板は、前記光源から前記受光部までの光路側の面が光を反射する反射面となっている
ことを特徴とする発光装置。
【請求項５】
請求項１から請求項４までのいずれか１項に記載の発光装置であって、
熱を拡散する放熱部材を更に備え、
前記基板は、屈曲部を挟む両側で前記放熱部材に接触する
ことを特徴とする発光装置。
【請求項６】
請求項１から請求項５までのいずれか１項に記載の発光装置と、
前記発光装置が備える導光板から出射された光が照射される液晶パネルと
を備えることを特徴とする表示装置。
【請求項７】
請求項６に記載の表示装置であって、
前記液晶パネルに映像を表示させる映像情報を外部から受信する受信部を更に備える
ことを特徴とする表示装置。
【請求項８】
導光板の受光部にて受光される光を発する光源に接続される配線パターンが形成された基板であって、
前記光源及び前記受光部の間を覆うように屈曲可能であり、
請求項１から請求項４までのいずれか１項に記載の発光装置に使用される
ことを特徴とする基板。
【発明の詳細な説明】
【技術分野】
【０００１】
本発明は、光源、導光板及び基板を備える発光装置、そのような発光装置を用いた表示装置、及びそのような発光装置に使用可能な基板に関する。
【背景技術】
【０００２】
液晶テレビジョン受像機等の液晶表示装置が広く普及しており、また、様々な液晶表示装置が提案されている。
【０００３】
例えば、特許文献１では、図１乃至図４、図７、図８及び図１０の図面に示されているようにＬＥＤチップが導光板の側端部に対向するように配置された液晶表示装置が開示されている。
【０００４】
特許文献１に記載されているような液晶表示装置には、バックライトとして発光装置が用いられており、発光装置には、高輝度化が求められている。輝度を上げる方法の一つとしては、バックライトに投入する電力を大きくする方法が挙げられる。
【先行技術文献】
【特許文献】
【０００５】
【特許文献１】特開２０１５−９２２３５号公報
【発明の概要】
【発明が解決しようとする課題】
【０００６】
しかしながら、バックライトに投入する電力を大きくした場合、ＬＥＤチップを搭載したＬＥＤ基板の表面温度が高くなるという問題がある。
【０００７】
本発明は斯かる事情に鑑みてなされたものであり、バックライトに投入する電力を大きくすることなく、高輝度化を実現することが可能な発光装置の提供を目的とする。
【０００８】
また、本発明は、本発明に係る発光装置を用いた表示装置の提供を他の目的とする。
【０００９】
また、本発明は、本発明に係る発光装置に使用可能な基板の提供を更に他の目的とする。
【課題を解決するための手段】
【００１０】
上記課題を解決するために、本願記載の発光装置は、光を発する光源と、前記光源からの光を受光部にて受光する導光板と、前記光源に接続される配線パターンが形成された基板とを備え、前記導光板は受光した光を出射する発光装置であって、前記基板は、前記光源及び前記受光部の間を覆うように屈曲して配設されていることを特徴とする。
【００１１】
また、前記発光装置において、光を発する光源と、前記光源からの光を受光部にて受光し、受光した光を第１面及び第１面と対向する第２面の間で導く導光板と、前記光源に接続される配線パターンが形成された基板とを備える発光装置であって、前記基板は、前記光源の前記導光板と反対側に配設されており、前記導光板の第１面側に第１端側が屈曲し、前記導光板の第２面側に第２端側が屈曲し、屈曲した前記第１端側及び前記第２端側にて、前記光源から前記受光部までの光路を覆うことを特徴とする。
【００１２】
また、前記発光装置において、前記導光板の受光部は、前記導光板の端部に位置しており、前記導光板の第１面は、受光した光を出射する出射面であり、前記導光板の第２面側には、受光した光を反射する反射部材が配設されており、前記基板の第１端側は、前記導光板の第１面の受光部近傍に重畳しており、前記基板の第２端側は、前記反射部材に重畳していることを特徴とする。
【００１３】
また、前記発光装置において、前記基板は、前記光源から前記受光部までの光路側の面が光を反射する反射面となっていることを特徴とする。
【００１４】
更に、本願記載の表示装置は、熱を拡散する放熱部材を更に備え、前記基板は、屈曲部を挟む両側で前記放熱部材に接触することを特徴とする。
【００１５】
また、前記表示装置において、前記発光装置と、前記発光装置が備える導光板から出射された光が照射される液晶パネルとを備えることを特徴とする。
【００１６】
また、前記表示装置において、前記液晶パネルに映像を表示させる映像情報を外部から受信する受信部を更に備えることを特徴とする。
【００１７】
更に、本願記載の基板は、導光板の受光部にて受光される光を発する光源に接続される配線パターンが形成された基板であって、前記光源及び前記受光部の間を覆うように屈曲可能であり、前記発光装置に使用されることを特徴とする。
【発明の効果】
【００１８】
本発明に係る発光装置、表示装置及び基板は、光源から導光板の受光部までの光路を覆うように基板を屈曲することにより、漏れ光を低減し、導光板の受光率を向上させて、輝度を向上させることが可能である等の優れた効果を奏する。
【図面の簡単な説明】
【００１９】
【図１】本願記載の表示装置の外観の一例を示す概略斜視図である。
【図２】本願記載の表示装置の外観の一例を示す概略斜視図である。
【図３】本願記載の表示装置に組み込まれた発光装置の一部を例示する概略断面図である。
【図４】本願記載の発光装置の一部を例示する概略破断斜視図である。
【図５】本願記載の発光装置の一部の断面の例を模式的に示す模式図である。
【図６】本願記載の表示装置の制御構成の一例を示すブロック図である。
【図７】本願記載の発光装置の一部を例示する概略破断斜視図である。
【図８】本願記載の発光装置の一部の断面の例を模式的に示す模式図である。
【発明を実施するための形態】
【００２０】
以下、本発明の実施形態について図面を参照しながら説明する。なお、以下の実施形態は、本発明を具現化した一例であって、本発明の技術的範囲を限定する性格のものではない。
【００２１】
［第１実施形態］
＜表示装置及び発光装置の形状＞
図１及び図２は、本願記載の表示装置１の外観の一例を示す概略斜視図である。図１は、前方斜め上からの視点で表示装置１を示しており、図２は、後方斜め上からの視点で表示装置１を示している。図１及び図２は、本発明に係る表示装置１を液晶テレビジョン受像機に適用した例を示している。表示装置１は、奥行き方向が薄い略直方体状をなす筐体１０に脚部を取り付けた形状をなしている。筐体１０の前面には、映像を表示する発光装置２が組み込まれている。
【００２２】
発光装置２について詳述する。図３は、本願記載の表示装置１に組み込まれた発光装置２の一部を例示する概略断面図である。図４は、本願記載の発光装置２の一部を例示する概略破断斜視図である。図３は、表示装置１に組み込まれた状態の発光装置２の断面を示している。図３に向かって左側が、表示装置１の前面となっており、図３では左側に示された前面から光が出射し、映像として表示される。また、図３に向かって上側が表示装置１の上側となる。図４は、発光装置２の一部を斜視図として示し、かつ内部の配置が理解できるように図示された構造の一部を破断して示している。図４に向かって左手前上側が、発光装置２が組み込まれた表示装置１の前面となっている。
【００２３】
表示装置１の筐体１０は、前部にフロントキャビネット１０ａ、後部にリアキャビネット１０ｂを備え、発光装置２を収容した状態でフロントキャビネット１０ａ及びリアキャビネット１０ｂを前後から嵌合させて形成されている。筐体１０の上面は、フロントキャビネット１０ａの上面部分とリアキャビネット１０ｂの上面部分が重畳しており、重畳した箇所はビス１０ｃで固定されている。
【００２４】
表示装置１の筐体１０内に収容された発光装置２は、液晶パネル２０、光学シート２１、光源２２、基板２３、導光板２４、反射シート２５、放熱部材２６、弾性部材２７、シャーシ２８等の各種部材を備えている。なお、図４では、発光装置２が備える部材のうち、光源２２、基板２３、導光板２４、反射シート２５及び放熱部材２６について、形状及び配置が理解できるように、これらの部材を斜視図として示し、特に光源２２が配置された箇所について一部破断して示している。
【００２５】
発光装置２は、前面（図３では左側）に矩形状をなす薄板の液晶パネル２０及び二層の光学シート２１が重畳して配設されている。最前面に配置された液晶パネル２０は、多数の画素を含む液晶が配置されており、各画素に対する電圧の印加状況に応じて照射された光を透過又は遮断し、全体として映像を表示するように形成されている。液晶パネル２０の後方に重畳された二層の光学シート２１は、それぞれ偏光方向が異なる偏光フィルタを用いて形成されている。液晶パネル２０は、前面の大部分がフロントキャビネット１０ａから露出しており、液晶パネル２０に表示される映像を視聴者は視認することができる。
【００２６】
液晶パネル２０及び光学シート２１の上端部分の背面には、シャーシ２８が配設されており、液晶パネル２０及び光学シート２１は、前方のフロントキャビネット１０ａ及び後方のシャーシ２８により筐体１０内に固定されている。シャーシ２８は、表示装置１内で左右方向に長い長尺状をなし、断面形状が略Ｌ字状となっている。略Ｌ字状をなすシャーシ２８は、面方向が垂直方向となる垂直板部及び水平方向となる水平板部として構成されている。シャーシ２８の垂直板部の前面には、液晶パネル２０及び光学シート２１が配設されており、垂直板部の背面及び水平板部の下面、即ち、シャーシ２８の内側には、光源２２、基板２３、導光板２４等の部材が配設されている。
【００２７】
光源２２は、光を発するＬＥＤ（Ｌｉｇｈｔ  Ｅｍｉｔｔｉｎｇ  Ｄｉｏｄｅ：発光ダイオード）チップ等の発光素子を用いて構成されており、光源２２に接続される配線パターンが形成された基板２３に配置されている。図４に例示するように、左右方向に長い基板２３に対し、左右方向に並べて所定の間隔で複数の光源２２が配置されている。基板２３は、薄板状の金属板を、平行な２箇所の折り目でそれぞれ直角に折り曲げた形状に屈曲しており（略コの字状）、屈曲したそれぞれの端部側の面が光源２２の前後に位置し、中央側の面が光源２２の上に位置するように配置されている。基板２３は、アルミニウム、銅等の金属製であり、屈曲した端部側となる前後の面及び中央の面のいずれにも配線パターンを形成することが可能である。基板２３の内側となる光源２２側の表面は、銅箔等の金属材料により鏡面加工がなされており、光源２２からの光に対し、８０〜９０％以上の高い反射率となっている。
【００２８】
光源２２は、前後及び上方を基板２３にて囲われており、下方へ向けて光を発する。光源２２の下方には、薄板状をなす導光板２４が配設されている。薄板状をなす導光板２４は、前方の面が液晶パネル２０及び光学シート２１の面と平行になるように配設されており、光源２２に隣接する上側の端部は、光源２２からの光を受光する受光部２４０となっている。また、屈曲した基板２３は、光源２２及び光源２２から受光部２４０までの間の光路を上部及び前後から覆うように配設されている。言い換えれば、基板２３は、光源２２の導光板２４と反対側に配設されており、導光板２４の前面側に第１端側が屈曲し、導光板２４の背面側に第２端側が屈曲し、屈曲した第１端側及び第２端側にて、光源２２から受光部２４０までの光路を覆っている。ここでいう光路を覆うとは、光源２２から受光部２４０までの光路の前面側及び背面側を塞ぐことを意味し、光路の左右までは塞いでいなくてもよい。例示する形態では、基板２３の屈曲した第１端側が、導光板２４の前面の受光部２４０近傍に重畳し、第２端側が、導光板２４の背面に配設された反射シート２５の受光部２４０近傍に重畳することにより、光路の前面側及び背面側を塞いだ例を示している。
【００２９】
導光板２４の背面には、光を反射する反射シート２５が配設されている。反射シート２５は、シート状の反射部材であり、受光部２４０が受光して導光板２４内に導かれた光を反射する。また、導光板２４の前面は出射面２４１となっており、導光板２４内に導かれた光は、出射面２４１から液晶パネル２０及び光学シート２１側へ向けて出射される。
【００３０】
基板２３は、ヒートスプレッダ等の放熱部材２６に接触している。放熱部材２６は、金属板を屈曲した断面視略Ｌ字状をなしている。基板２３は、屈曲部を挟む両側の面、例示する形態では上面及び背面で放熱部材２６に接触している。言い換えれば、略Ｌ字状に屈曲した放熱部材２６は、基板２３の屈曲部を挟む複数の面に接触している。即ち、放熱部材２６は、基板２３において、光源２２が配置されている部位の反対側となる上面に接触している平面と、反射シート２５に接している部位の反対側となる背面に接触している平面とを有している。なお、放熱部材２６は、導光板２４の出射面２４１に接している部位の反対側となる前面に接触するように形成することも可能である。このように形成された放熱部材２６は、光源２２にて発生した熱を、基板２３を介して拡散し、拡散された熱は外部へ発散される。
【００３１】
基板２３の前面と、シャーシ２８との間には、ウレタンフォーム等の弾性部材２７が配設されており、外力からの振動及び衝撃から基板２３を保護している。
【００３２】
＜発光装置の機能＞
次に、発光装置２の機能について説明する。図５は、本願記載の発光装置２の一部の断面の例を模式的に示す模式図である。図５は、図３の断面図に示した各種部材のうち、発光装置２が備える液晶パネル２０、光学シート２１、光源２２、基板２３、導光板２４、反射シート２５、放熱部材２６、弾性部材２７及びシャーシ２８を模式的に示し、かつ光及び熱の経路を矢印にて示している。図５中、実線で示した矢印は、光源２２から発せられた光が導光板２４の受光部２４０に達するまでの光路であり、破線で示した矢印は、熱の伝導経路を示している。なお、図５（ａ）は、本願記載の発光装置２であり、図５（ｂ）は、比較のために示した従来型の発光装置２Ｘである。従来型の発光装置２Ｘは、液晶パネル２０Ｘ、光学シート２１Ｘ、光源２２Ｘ、基板２３Ｘ、導光板２４Ｘ、反射シート２５Ｘ、放熱部材２６Ｘ、弾性部材２７Ｘ及びシャーシ２８Ｘを備え、更に、反射シート２５Ｘと放熱部材２６Ｘとの間に保持部材２９Ｘが配設されている。なお、比較のために示す従来型の発光装置２Ｘの基板２３Ｘは、屈曲部がなく平面状をなしている。
【００３３】
発光装置２において、光源２２から発せられた光は、導光板２４の上側の端部に位置する受光部２４０に受光される。導光板２４は、受光部２４０から受光した光を、前面（第１面）及び背面（第１面と対向する第２面）の間で反射を繰り返しながら受光部２４０と反対側の端部へと導く。導光板２４の背面には、反射シート２５が配設されているため、受光部２４０が受光して導光板２４内を導かれる光は、前面を出射面２４１として、前方の液晶パネル２０及び光学シート２１側へ出射される。
【００３４】
図５（ａ）に示すように、基板２３は、光源２２から受光部２４０までの光路を覆うように前面側及び背面側に屈曲している。即ち、光源２２から受光部２４０までの光路は、基板２３にて覆われており、基板２３の光路側の面は、８０〜９０％以上の高い反射率となるように表面加工されている。従って、図５（ａ）中に、実線の矢印として示すように、光源２２から発せられた光は、直接又は基板２３に反射されて受光部２４０に到達する。これにより、本願記載の発光装置２は、漏れ光を低減し、導光板２４の受光率を向上させて、高輝度化を実現することが可能である。
【００３５】
図５（ｂ）に比較のために示した従来型の発光装置２Ｘは、例えば、保持部材２９Ｘ等の反射率が低い部材にて光が吸収されるため、基板２３Ｘの反射光が受光部２４０Ｘに到達することを見込めず、本願記載の発光装置２と比べ、漏れ光が大きく、受光率が低くなる。
【００３６】
また、発光装置２において、光源２２等の部材で発生した熱は、基板２３を介して放熱部材２６に伝導し、放熱部材２６にて拡散されて外部へと発散される。
【００３７】
図５（ａ）に示すように、屈曲した基板２３は、放熱部材２６に接触する面積及び放熱する面積が広くなるように形成することが可能であり、図５（ａ）中に破線の矢印として示すように放熱部材２６に接触する様々な部位から熱を伝導させることが可能である。このように、効率的な熱伝導を実現することが可能であるため、放熱効率を向上させることが可能である。従って、発光装置２の高温化、例えば、基板２３上に形成された半田部位の温度上昇を抑制し、動作の安定性及び安全性を確保することが可能である。アルミニウム製の基板２３は、熱伝導率が２３６Ｗ（ｍ・Ｋ）程度であり、放熱部材２６に接触する面積及び放熱する面積を広くすることで放熱効率が向上する。
【００３８】
図５（ｂ）に比較のために示した従来型の発光装置２Ｘは、基板２３Ｘと放熱部材２６Ｘとが接触する面積及び基板２３Ｘが放熱する面積が狭いため、本願記載の発光装置２Ｘと比べ、放熱効率が低くなる。
【００３９】
＜表示装置の制御構成＞
次に、本願記載の表示装置１の制御系統の構成例について説明する。図６は、本願記載の表示装置１の制御構成の一例を示すブロック図である。表示装置１は、装置全体を制御するＣＰＵ（Central Processing Unit ）等の制御部１１を備え、更に、制御部１１により制御される前述の発光装置２の他、音声出力部１２、記録部１３、外部情報受信部１４、復号部１５、操作部１６、操作情報受信部１７等の各種構成を備えている。
【００４０】
音声出力部１２は、電気信号を音声として出力するスピーカである。記録部１３は、ハードディスク、フラッシュメモリ等の各種メモリであり、制御部１１の制御により実行されるプログラムの他、音情報、映像情報等の各種情報が記録される。外部情報受信部１４は、放送波を受信するアンテナ、他の装置から有線又は無線にて送信される情報を受信する受信回路等の回路であり、外部情報受信部１４により、音及び映像を連動して出力する音情報及び映像情報を受信する。復号部１５は、外部情報受信部１４が受信した音情報及び映像情報を復号するチューナ、復号回路等の回路である。制御部１１は、復号部１５により復号された音情報に基づく音を音声出力部１２から出力し、復号部１５により復号された映像情報に基づく映像を表示装置１の液晶パネル２０に表示させる。操作部１６は、操作を受け付ける操作ボタン等の部材及びその付属回路等の機構である。操作情報受信部１７は、リモートコントローラ（リモコン）等の外部装置から操作情報を受信する赤外線受光部及びその付属回路等の機構である。
【００４１】
［第２実施形態］
第２実施形態は、第１実施形態と比べ、発光装置２が備える基板２３の屈曲形状が異なっている。なお、以下の説明において、第１実施形態と同様の構成については、第１実施形態と同等の符号を付し、第１実施形態を参照するものとし、その説明を省略する。
【００４２】
第２実施形態に係る表示装置１に組み込まれた発光装置２について説明する。図７は、本願記載の発光装置２の一部を例示する概略破断斜視図である。図７は、発光装置２の一部を斜視図として示し、かつ内部の配置が理解できるように図示された構造の一部を破断して示している。図７に向かって左手前上側が、発光装置２が組み込まれた表示装置１の前面となっている。図７では、発光装置２が備える部材のうち、光源２２、基板２３、導光板２４、反射シート２５及び放熱部材２６について、形状及び配置が理解できるように、これらの部材を斜視図として示し、特に光源２２が配置された箇所について一部破断して示している。
【００４３】
第２実施形態に係る発光装置２の基板２３は、薄板状の金属板を、平行な２カ所の部位でそれぞれ弧状に折り曲げた略Ｕ字状に屈曲しており、屈曲したそれぞれの端部側の面が光源２２の前後に位置し、中央側の面が光源２２の上に位置するように配置されている。即ち、第１実施形態に係る発光装置２の基板２３が、直角に折り曲げられているのに対し、第２実施形態に係る発光装置２の基板２３は、弧状に折り曲げられている。
【００４４】
図８は、本願記載の発光装置２の一部の断面の例を模式的に示す模式図である。図８は、発光装置２が備える液晶パネル２０、光学シート２１、光源２２、基板２３、導光板２４、反射シート２５、放熱部材２６及び弾性部材２７を模式的に示し、かつ光及び熱の経路を矢印にて示している。図８中、実線で示した矢印が、光源２２から発せられた光が導光板２４の受光部２４０に達するまでの光路であり、破線で示した矢印が、熱の伝導経路を示している。
【００４５】
第２実施形態に係る発光装置２は、基板２３を弧状に屈曲させることにより、光源２２から様々な方向へ発散する光を導光板２４の受光部２４０に対し、効率的に反射させることが可能となる。即ち、第２実施形態に係る発光装置２は、屈曲部にて形成される反射面の焦点が受光部２４０に位置するように基板２３を形成し、配置することが好ましい。
【００４６】
［第３実施形態］
第３実施形態は、第１実施形態が、１枚の基板２３を折り曲げて形成する形態であるのに対し、光源２２及び受光部２４０の間を、３枚の平面状の基板を組み合わせて屈曲した基板２３を形成した形態である。なお、第３実施形態については図面を省略する。
【００４７】
以上、第１から第３までの実施形態を例示して示したように、本願記載の表示装置１は、組み込まれている発光装置２の基板２３を、光源２２及び受光部２４０の間を覆うように屈曲している。これにより、高輝度化を実現することが可能である等、優れた効果を奏する。また、本願記載の表示装置１に組み込まれた発光装置２は、屈曲した基板２３により、放熱部材２６に接触する面積及び放熱する面積が広くなるように形成することが可能であるので、放熱効率を向上させることが可能である等、優れた効果を奏する。
【００４８】
本発明は、以上説明した実施形態に限定されるものではなく、他の様々な形態で実施することが可能である。そのため、斯かる実施形態はあらゆる点で単なる例示に過ぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００４９】
例えば、前記実施形態では、液晶テレビジョン受像機として用いられる表示装置１に組み込まれた発光装置２の形態を示したが、本発明はこれに限るものではない。コンピュータ用モニタ等の液晶テレビジョン受像機以外の様々な映像を表示させる表示装置１等、様々な表示装置１に組み込むことが可能である。更には、表示装置１以外の様々な装置に本願記載の発光装置２を組み込むことも可能である。
【００５０】
また、前記実施形態では、導光板２４の背面側を反射シート２５の一部である受光部２４０近傍に重畳する例を示しているが、反射シート２５の全体に基板２３が重畳していてもよい。また、前記実施形態では、基板２３にて光源２２から受光部２４０までの光路の前面側及び背面側を覆う例を示してが、必ずも、光路全体を覆う必要はなく、基板２３の前面側に屈曲した第１端及び背面側に屈曲した第２端のいずれかが受光部２４０まで到達していなくてもよい。即ち、基板２３にて光路の全部又は一部を覆っていればよい。
【００５１】
本願記載の発光装置２は、光を発する光源２２と、前記光源２２からの光を受光部２４０にて受光する導光板２４と、前記光源２２に接続される配線パターンが形成された基板２３とを備え、前記導光板２４は受光した光を出射する発光装置２であって、前記基板２３は、前記光源２２及び前記受光部２４０の間を覆うように屈曲して配設されていることを特徴とする。
【００５２】
本願記載の発光装置２では、光源２２及び受光部２４０の間を覆うように屈曲することにより、漏れ光を低減する。
【００５３】
また、本願記載の発光装置２では、光を発する光源２２と、前記光源２２からの光を受光部２４０にて受光し、受光した光を第１面及び第１面と対向する第２面の間で導く導光板２４と、前記光源２２に接続される配線パターンが形成された基板２３とを備える発光装置２であって、前記基板２３は、前記光源２２の前記導光板２４と反対側に配設されており、前記導光板２４の第１面側に第１端側が屈曲し、前記導光板の第２面側に第２端側が屈曲し、屈曲した前記第１端側及び前記第２端側にて、前記光源２２から前記受光部２４０までの光路を覆うことを特徴とする。
【００５４】
本願記載の発光装置２では、光源２２から受光部２４０までの光路を覆うことにより、漏れ光を低減する。
【００５５】
また、本願記載の発光装置２において、前記導光板２４の受光部２４０は、前記導光板２４の端部に位置しており、前記導光板２４の第１面は、受光した光を出射する出射面２４１であり、前記導光板２４の第２面側には、受光した光を反射する反射部材（反射シート２５）が配設されており、前記基板２３の第１端側は、前記導光板２４の第１面の受光部２４０近傍に重畳しており、前記基板２３の第２端側は、前記反射部材（反射シート２５）に重畳している。
【００５６】
本願記載の発光装置２では、導光板２４の第２面側を反射面とし、第１面側を出射面２４１として、出射面２４１側から光を出射する。
【００５７】
また、本願記載の発光装置２において、前記基板２３は、前記光源２２から前記受光部２４０までの光路側の面が光を反射する反射面となっていることを特徴とする。
【００５８】
本願記載の発光装置２では、光路を覆う基板２３にて、光源２２から発せられた光が屈曲した基板２３の反射面で反射するので、光の減衰を抑制して高輝度化を実現することが可能である。
【００５９】
また、本願記載の発光装置２において、熱を拡散する放熱部材２６を更に備え、前記基板２３は、屈曲部を挟む両側で前記放熱部位に接触することを特徴とする。
【００６０】
本願記載の発光装置２では、屈曲した基板２３は、放熱部材２６に接触する面積及び放熱する面積が広くなるように形成することが可能である。
【００６１】
更に、本願記載の表示装置１は、前記発光装置２と、前記発光装置２が備える導光板２４から出射された光が照射される液晶パネル２０とを備えることを特徴とする。
【００６２】
本願記載の表示装置１では、光源２２及び受光部２４０の間を覆うように屈曲した発光装置２を備えているため、漏れ光を低減することが可能である。
【００６３】
また、本願記載の表示装置１において、前記液晶パネル２０に映像を表示させる映像情報を外部から受信する受信部（外部情報受信部１４）を更に備えることを特徴とする。
【００６４】
本願記載の表示装置１では、映像情報を外部から受信して表示する液晶テレビジョン受像機等の装置に適用することが可能である。
【００６５】
また、本願記載の基板２３は、導光板２４の受光部２４０にて受光される光を発する光源２２に接続される配線パターンが形成された基板２３であって、前記光源２２及び前記受光部２４０の間を覆うように屈曲可能であり、前記発光装置２に使用されることを特徴とする。
【００６６】
本願記載の基板２３は、発光装置２の漏れ光を低減することが可能である。
【符号の説明】
【００６７】
１        表示装置
１４      外部情報受信部（受信部）
２        発光装置
２０      液晶パネル
２２      光源
２３      基板
２４      導光板
２４０    受光部
２４１    出射面
２５      反射シート（反射部材）
２６      放熱部材
２７      弾性部材
【図１】
2019139888.tif 000003
【図２】
2019139888.tif 000004
【図３】
2019139888.tif 000005
【図４】
2019139888.tif 000006
【図５】
2019139888.tif 000007
【図６】
2019139888.tif 000008
【図７】
2019139888.tif 000009
【図８】
2019139888.tif 000010